(57)【特許請求の範囲】
【請求項１】
四角い枠状で設置床の上に配設されるフレームと、該フレームの各辺から立ち上がる側壁とを有するキャビネット内に、制御機器が収容され、前記設置床下からの既設ケーブルが前記制御機器に接続されている既設制御装置を、新設制御装置に取り替えるための制御装置取替方法であって、
前記設置床下からの新設ケーブルを、前記既設制御装置内を通過させて前記新設制御装置の制御機器に接続し、前記既設制御装置を通電停止状態とし、前記新設制御装置を通電可能状態とするケーブル接続ステップと、
前記既設制御装置のフレームの一部を切断して、開口部を形成する開口部形成ステップと、
前記ケーブル接続ステップと開口部形成ステップとの後に、前記既設ケーブルを前記既設制御装置から取り外し、前記フレームの開口部に前記新設ケーブルを通して前記既設制御装置を撤去する撤去ステップと、
前記撤去ステップの後に、前記既設制御装置が設置されていた位置に前記新設制御装置を移動する移動ステップと、
を備えることを特徴とする制御装置取替方法。
【発明の詳細な説明】
【技術分野】
【０００１】
この発明は、制御盤や配電盤、リレー盤などの制御装置を取り替える制御装置取替方法に関する。
【背景技術】
【０００２】
例えば、寿命や故障などにより、既設の制御盤を新たな制御盤に取り替える（据え替える）際に、配電盤室が狭いため、あるいは各種機器や設備などが密集しているために、新たな制御盤を設置するスペースを配電盤室内に確保できない場合がある。このような場合に、既設の制御盤の設置スペースに、新たな制御盤を設置する技術が知られている（例えば、特許文献１参照。）。
【０００３】
この技術は、既設の制御盤を設置床から持ち上げて（嵩上げして）、既設の制御盤と設置床との間に空間を形成する。そして、この空間を介して、設置床下からの新ケーブルを新たな制御盤に接続し、既設の制御盤を設置スペースから撤去した後に、新たな制御盤を設置スペースに設置するものである。
【先行技術文献】
【特許文献】
【０００４】
【特許文献１】特開２００７−０９７３４０号公報
【発明の概要】
【発明が解決しようとする課題】
【０００５】
ところで、上記の特許文献１に記載の方法では、既設の制御盤を設置床から持ち上げるため、既設の制御盤に接続されているすべてのケーブルも持ち上げられる。すなわち、持ち上げるだけの余長が、全ケーブルに必要となり、ケーブルに余長がない場合には、この方法を用いることができない。
【０００６】
さらに、既設の制御盤を設置床から持ち上げるため、既設の制御盤と天井との間に隙間を要し、持ち上げるだけの隙間がない場合には、この方法を用いることができない。そして、この方法を用いることができない場合には、既設の制御盤を別の場所に移設した後に、新たな制御盤を設置しなければならないため、多大な時間と労力、費用を要することになる。
【０００７】
そこでこの発明は、設置状態や設置環境などに制限されることなく、より確実に既設の制御装置（既設制御装置）を新たな制御装置（新設制御装置）に取り替えることが可能な制御装置取替方法を提供することを目的とする。
【課題を解決するための手段】
【０００８】
上記課題を解決するために、請求項１の発明は、四角い枠状で設置床の上に配設されるフレームと、該フレームの各辺から立ち上がる側壁とを有するキャビネット内に、制御機器が収容され、前記設置床下からの既設ケーブルが前記制御機器に接続されている既設制御装置を、新設制御装置に取り替えるための制御装置取替方法であって、前記設置床下からの新設ケーブルを、前記既設制御装置内を通過させて前記新設制御装置の制御機器に接続し、前記既設制御装置を通電停止状態とし、前記新設制御装置を通電可能状態とするケーブル接続ステップと、前記既設制御装置のフレームの一部を切断して、開口部を形成する開口部形成ステップと、前記ケーブル接続ステップと開口部形成ステップとの後に、前記既設ケーブルを前記既設制御装置から取り外し、前記フレームの開口部に前記新設ケーブルを通して前記既設制御装置を撤去する撤去ステップと、前記撤去ステップの後に、前記既設制御装置が設置されていた位置に前記新設制御装置を移動する移動ステップと、を備えることを特徴とする。
【０００９】
この発明によれば、例えば、まず、既設制御装置のフレームの一部を切断して開口部を形成し（開口部形成ステップ）、設置床下からの新設ケーブルを、既設制御装置を介して新設制御装置の制御機器に接続する（ケーブル接続ステップ）。次に、既設ケーブルを既設制御装置から取り外し、フレームの開口部に新設ケーブルを通して既設制御装置を撤去し（撤去ステップ）、既設制御装置が設置されていた位置に新設制御装置を移動する（移動ステップ）。
【発明の効果】
【００１１】
請求項１の発明によれば、既設制御装置のフレームの一部を切断して開口部を形成し、この開口部に新設ケーブルを通して既設制御装置を撤去するため、既設制御装置を持ち上げる必要がない。つまり、既設ケーブルに所要の余長を要したり、既設制御装置と天井との間に所要の隙間を要したりしない。このため、設置状態や設置環境などに制限されることなく、既設制御装置が設置されていた位置に新設制御装置を設置することができる。すなわち、新設制御装置を設置するスペースを確保できない場合であっても、より確実に既設制御装置を新設制御装置に取り替えることができる。
【００１２】
しかも、既設制御装置のフレームの一部を切断して開口部を形成すればよいため、容易かつ迅速、安全に取替を行うことができる。
【図面の簡単な説明】
【００１４】
【図１】この発明の実施の形態１に係る制御装置取替方法において、既設制御盤が設置されている状態を示す図である。
【図２】図１に続いて、既設制御装置のフレームの一部を切断して開口部を形成する状態を示す図である。
【図３】図２に続いて、新設制御盤を仮置きする状態を示す図である。
【図４】図３に続いて、設置床下からの新設ケーブルを既設制御装置を介して新設制御装置の制御機器に接続する状態を示す図である。
【図５】図４に続いて、既設ケーブルを既設制御装置の制御機器から取り外す状態を示す図である。
【図６】図５に続いて、既設制御装置内の制御機器などを取り外す状態を示す図である。
【図７】図６に続いて、既設制御装置を撤去、移動する状態を示す図である。
【図８】図７に続いて、新設制御装置を設置し終えた状態を示す図である。
【図９】この発明の実施の形態１における制御盤の設置状態を示す正面図（ａ）と、その平面図（ｂ）と、ドアを開けた状態を示す正面図（ｃ）である。
【図１０】この発明の実施の形態１に係る制御装置取替方法における、フレームの当初の平面図（ａ）と、開口部を形成した状態の平面図（ｂ）と、開口部の上を通すように新設ケーブルを敷設した状態の平面図（ｃ）である。
【図１１】この発明の実施の形態２に係る制御装置における、着脱部材周辺を示す平面図（ａ）と、その正面図（ｂ）と上面面（ｃ）である。
【図１２】図１１の着脱部材の着脱方法を示す分解図である。
【発明を実施するための形態】
【００１５】
以下、この発明を図示の実施の形態に基づいて説明する。
【００１６】
（実施の形態１）
図１〜８は、この実施の形態に係る制御装置取替方法における各ステップ・工程等を示す図である。この制御装置取替方法は、既設制御盤（既設制御装置）１００を新設制御盤（新設制御装置）２００に取り替えるための方法、特に、既設制御盤１００が設置されている位置・場所に新設制御盤２００を設置する方法である。
【００１７】
ここでまず、制御盤１００、２００の概略構造や設置状態などについて説明するが、既設制御盤１００と新設制御盤２００とは構造や設置状態などが同等であるため、既設制御盤１００に対してのみ説明する。すなわち、既設制御盤１００は、図９に示すように、筐体状・箱状のキャビネット１１０を備え、このキャビネット１１０内に各種の制御機器１２０や部材（図示せず）などが収容されている。
【００１８】
キャビネット１１０は、主として、設置床３００の上に配設されるフレーム１１１と、このフレーム１１１の各辺から立ち上がる側壁１１２とドア（側壁）１１３を有し、必要に応じて天板を備えている。フレーム１１１は、断面がＬ字形のアングル鋼材や矩形の鋼材などで構成され、平面形状が四角い枠状（「ロ」字状）に形成され、水平方向に延びて設置床３００上に設置された架台３０１を介して、設置床３００の上に配設される。また、後述するようにしてフレーム１１１の一部を切断して開口部１１１ａが形成された場合であっても、必要な強度、剛性が確保されるように、フレーム１１１の材質、断面形状などが設定されている。
【００１９】
このようなフレーム１１１の前面の辺（フレーム１１１を構成する一辺の部材）から立ち上がって２つのドア１１３が配設され、両側面と背面の辺から立ち上がって側壁１１２が配設されている。また、各ドア１１３は、その一側縁が隣接する側壁１１２の側縁に回動自在に接続され、２つのドア１１３が観音開きのように開閉するようになっている。
【００２０】
ここで、この実施の形態では、フレーム１１１が側壁１１２およびドア１１３の内側に位置している、つまり、フレーム１１１の側面から側壁１１２およびドア１１３が立ち上がっているが、フレーム１１１の上端から側壁１１２およびドア１１３が立ち上がり、フレーム１１１が外部に露出するものであってもよい。また、フレーム１１１と各側壁１１２とが一体的に構成されたものであってもよい。すなわち、後述するように、フレーム１１１の前面の辺（ドア１１３に対向する辺）のみを切断するため、この辺を除く辺においては、側壁１１２と一体的に構成されていてもよい。
【００２１】
一方、設置床３００には、既設制御盤１００の設置位置に（フレーム１１１の枠内に）ケーブル孔３０２（図１〜８）が形成され、床下（地下）のケーブル処理室（図示せず）からの複数の既設ケーブル１３０が、ケーブル孔３０２を介して設置床３００上に立ち上げられ、その端部が制御機器１２０に接続されている。このように、既設ケーブル１３０は、既設制御盤１００の真下から立ち上がり、フレーム１１１内を通っている。また、設置床３００には、後述する新設ケーブル２３０なども設置床３００上に立ち上げられるように、予め複数のケーブル孔３０２、あるいは大きなケーブル孔３０２が形成されている。
【００２２】
次に、このような既設制御盤１００に対する本制御装置取替方法について説明する。ここで、図１〜８においては、説明、理解を容易にするため、制御盤１００、２００の一部内部を図示し、かつ簡略化して図示している。
【００２３】
図１に示すように、既設制御盤１００が上記のようにして設置されており、この既設制御盤１００を新設制御盤２００に取り替える場合に、まず、開口部形成ステップとして、図２に示すように、既設制御盤１００のフレーム１１１の一部を切断して、開口部（通し窓）１１１ａを形成する。すなわち、図１０（ａ）に示すようなフレーム１１１に対して、図１０（ｂ）に示すように、その前面の辺（ドア１１３に対向する辺）を切断、除去して開口部１１１ａを形成する。このとき、開口部１１１ａの大きさは、後述する新設ケーブル２３０を通せる大きさであればよく、フレーム１１１の強度をより確保するために、角部に達しなくてもよい（角部を残して切断してもよい、）。
【００２４】
次に、図３に示すように、既設制御盤１００の周辺の空スペースに、新設制御盤２００を仮置きする。このとき、仮架台３１０の上に新設制御盤２００を載置し、新設制御盤２００の下面と設置床３００との間に空間を設け、後述する新設ケーブル２３０を配設できるようにする。
【００２５】
続いて、ケーブル接続ステップとして、図４に示すように、設置床３００下からの新設ケーブル２３０を、既設制御盤１００を介して新設制御盤２００の制御機器２２０に接続する。すなわち、床下のケーブル処理室からの複数の新設ケーブル２３０を、ケーブル孔３０２を通して設置床３００上に立ち上げ、既設制御盤１００内を通過させてドア１１３の開口から新設制御盤２００側に敷設する。つまり、図１０（ｃ）に示すように、既設制御盤１００のフレーム１１１の開口部１１１ａの上を通すようにして、新設ケーブル２３０を敷設する。そして、新設制御盤２００と設置床３００との間の空間に、新設ケーブル２３０を通して新設制御盤２００（キャビネット２１０）内に取り込み、新設ケーブル２３０の端部を制御機器２２０に接続する。
【００２６】
その後、既設制御盤１００から新設制御盤２００に通電を切り替えて、既設制御盤１００を通電停止状態とし、新設制御盤２００を通電可能状態とする。これにより、既設ケーブル１３０は停電状態となる。
【００２７】
次に、撤去ステップとして、既設ケーブル１３０を既設制御盤１００から取り外し、フレーム１１１の開口部１１１ａに新設ケーブル２３０を通して既設制御盤１００を撤去する。すなわち、まず、図５に示すように、すべての既設ケーブル１３０を既設制御盤１００の制御機器１２０から取り外し、設置床３００から引き下ろして、ケーブル処理室から撤去する。
【００２８】
その後、図６に示すように、既設制御盤１００内の制御機器１２０などを取り外し、できるだけ既設制御盤１００を軽量な状態（できるだけキャビネット１１０のみの状態）とする。そして、フレーム１１１の開口部１１１ａに新設ケーブル２３０を通過させながら、つまり、新設ケーブル２３０の上を開口部１１１ａで跨ぐように、既設制御盤１００を動かして、図７に示すように、既設制御盤１００を設置スペースから移動、撤去する。
【００２９】
続いて、移動ステップとして、既設制御盤１００が設置されていた位置に新設制御盤２００を移動する。すなわち、図７の状態から、新設制御盤２００を移動して、図８に示すように、架台３０１の上に載置して、既設制御盤１００があった設置スペースに設置する。そして、新設ケーブル２３０の余長を引っ張って、ケーブル処理室内に収納するものである。
【００３０】
以上のように、この制御装置取替方法によれば、既設制御盤１００のフレーム１１１の一部を切断して開口部１１１ａを形成し、この開口部１１１ａに新設ケーブル２３０を通して新設制御盤２００を撤去するため、つまり、開口部１１１ａによって新設ケーブル２３０を跨ぐことができるため、既設制御盤１００を持ち上げる（嵩上げする）必要がない。すなわち、既設ケーブル１３０に所要の余長を要したり、既設制御盤１００と配電盤室の天井との間に所要の隙間を要したりしない。このため、設置状態や設置環境などに制限されることなく、既設制御盤１００が設置されていた位置に新設制御盤２００を設置することができる。すなわち、新設制御盤２００を設置するスペースを確保できない場合であっても、より確実に既設制御盤１００を新設制御盤２００に取り替えることができる。
【００３１】
しかも、既設制御盤１００のフレーム１１１の一部を切断して開口部１１１ａを形成すればよいため、容易かつ迅速、安全に取替を行うことができる。さらに、既設ケーブル１３０に所要の余長を要しないため、ケーブル費用を軽減することができ、また、既設制御盤１００を別の場所に移設する必要がないため、取替費用を軽減することができる。
【００３２】
（実施の形態２）
この実施の形態では、制御盤（制御装置）のフレーム自体が予め開口部を形成できるようになっている点で、実施の形態１と構成が異なり、実施の形態１と同等の構成については、同一符号を付することで、その説明を省略する。
【００３３】
図１１、１２に示すように、この実施の形態におけるフレーム１４０は、断面がＬ字形のアングル鋼材で構成され、前面の辺（ドア１１３に対向する辺）が、角部近傍の切断部１４０ａ、１４０ａで切断され、この切断によって開口部１４０ｂが形成されている。この開口部１４０ｂの大きさは、制御盤の取替時に、設置床３００下からの新設ケーブル２３０を通せるように設定されている。このような開口部１４０ｂ（切断部１４０ａ、１４０ａの間）を塞ぐように、着脱部材（フレーム１４０の一部分）１４１が着脱自在に取り付けられている。
【００３４】
すなわち、図１２に示すように、フレーム１４０の前面辺の両角部近傍の正面片（アングル鋼材の図１１（ｂ）に図示された側の部分）に、第１のボルト挿入孔１４０ｃが形成され、着脱部材１４１の両端部の正面片に、第２のボルト挿入孔１４１ａが形成されている。一方、長方形の２つの接続板１４２には、長手方向に沿って２つのネジ孔１４２ａが形成されている。また、接続板１４２は、後述するようにして取り付けた際に、フレーム１４０および着脱部材１４１の正面片内に収容される（隠れる）ように、その大きさが設定されている。
【００３５】
そして、開口部１４０ｂを塞ぐように切断部１４０ａ、１４０ａ間に着脱部材１４１を位置させ、切断部１４０ａを跨ぐように接続板１４２を当てがい、第１のボルト挿入孔１４０ｃと第２のボルト挿入孔１４１ａとに、皿ボルト１４３を挿入してネジ孔１４２ａに締め込む。これにより、図１１（ａ）に示すように、接続板１４２を介して着脱部材１４１がフレーム１４０に取り付けられる（連結される。）。一方、皿ボルト１４３を外すことで、着脱部材１４１がフレーム１４０から取り外せ、この状態でフレーム１４０に開口部１４０ｂが形成されるものである。ここで、実施の形態１と同様に、開口部１４０ｂが形成された場合であっても必要な強度、剛性が確保され、また、着脱部材１４１が取り付けられた状態では一体のフレーム１１１と同等の強度、剛性が確保されるように、フレーム１４０（着脱部材１４１）および接続板１４２の材質、断面形状などが設定されている。
【００３６】
このような実施の形態によれば、着脱部材１４１を取り外すことで開口部１４０ｂが形成され、開口部１４０ｂに設置床３００下からの新設ケーブル２３０を通せるようになっている。このため、この制御装置（既設制御装置）を新設制御装置に取り替える際に、実施の形態１と同様に、設置状態や設置環境などに制限されることなく、より確実に既設制御装置を新設制御装置に取り替えることができる。しかも、着脱部材１４１を取り外すだけで開口部１４０ｂが形成されるため、取替時にフレーム１４０の一部を切断する必要がなく、より容易かつ迅速、安全に取替を行うことができる。
【００３７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、開口部形成ステップの後にケーブル接続ステップを行っているが、ケーブル接続ステップ後に開口部形成ステップを行ってもよい。すなわち、まず、ケーブル接続ステップとして、設置床３００下からの新設ケーブル２３０を、フレーム１１１の前面の辺（開口部１１１ａが形成される部分）の上を通して新設制御盤２００の制御機器２２０に接続し、その後、開口部形成ステップとして、フレーム１１１の前面の辺を切断して開口部１１１ａを形成してもよい。つまり、既設制御盤１００を撤去する前に、新設ケーブル２３０が接続され、開口部１１１ａが形成されていればよい。また、フレーム１１１の前面に開口部１１１ａを形成しているが、設置場所の周囲環境や新設制御盤２００の仮置き場所・方向などに応じて、フレーム１１１の側面や背面に開口部１１１ａを形成してもよい。
【００３８】
さらに、上記の実施の形態２では、接続板１４２が別体となっているが、接続板１４２をフレーム１４０または着脱部材１４１に、溶接によって接続したり、一体的に形成したりしてもよい。これにより、着脱部材１４１の着脱作業をより容易かつ迅速に行うことが可能となる。
【００３９】
また、制御装置には、制御盤や配電盤、リレー盤などを含み、キャビネット・筐体内に各種機器・設備が収容され、床下からケーブルが接続されているものが含まれる。
【符号の説明】
【００４０】
１００    既設制御盤（既設制御装置）
１１０    キャビネット
１１１    フレーム
１１１ａ  開口部
１１２    側壁
１１３    ドア（側壁）
１２０    制御機器
１３０    既設ケーブル
１４０    フレーム
１４０ａ  切断部
１４０ｂ  開口部
１４１    着脱部材
１４２    接続板
２００    新設制御盤（新設制御装置）
２１０    キャビネット
２２０    制御機器
２３０    新設ケーブル
３００    設置床
３０１    架台
３０２    ケーブル孔
３１０    仮架台
【図１】
0005497126.tif 000002
【図２】
0005497126.tif 000003
【図３】
0005497126.tif 000004
【図４】
0005497126.tif 000005
【図５】
0005497126.tif 000006
【図６】
0005497126.tif 000007
【図７】
0005497126.tif 000008
【図８】
0005497126.tif 000009
【図９】
0005497126.tif 000010
【図１０】
0005497126.tif 000011
【図１１】
0005497126.tif 000012
【図１２】
0005497126.tif 000013